(57)【特許請求の範囲】
【請求項１】
表示面に画像が表示されるディスプレイと、
前記ディスプレイにおける表示面の反対の面側に配置されるバックシャーシと、
前記表示面側から前記バックシャーシ側へ回り込む状態で位置され一端部が前記ディス
プレイの外周部の少なくとも一部に貼り付けられたカバーフィルムと、
前記ディスプレイの外周面の少なくとも一部を覆い、前記バックシャーシの一部が結合された保護部材とを備え、
前記カバーフィルムの少なくとも他端部が前記バックシャーシに貼り付けられ、
前記カバーフィルムの前記一端部と前記他端部の間に位置する中間部の少なくとも一部が前記保護部材の外面に貼り付けられた
表示装置。
【請求項２】
前記バックシャーシに回路基板と前記回路基板を閉塞するリアカバーとが取り付けられ、
前記カバーフィルムの前記バックシャーシに貼り付けられた部分が前記リアカバーによ
って押さえられた
請求項１に記載の表示装置。
【請求項３】
前記ディスプレイに表示パネルと前記表示パネルの表面に貼り付けられた偏光フィルムとが設けられ、
前記偏光フィルムが前記カバーフィルムとして用いられた
請求項１又は請求項２に記載の表示装置。
【請求項４】
前記ディスプレイに表示パネルと前記表示パネルの表面に貼り付けられた偏光フィルムとが設けられ、
前記偏光フィルムの外周部の少なくとも一部に前記カバーフィルムの一端部が貼り付け
られた
請求項１又は請求項２に記載の表示装置。
【請求項５】
前記ディスプレイに表示パネルと前記表示パネルの表面に貼り付けられた偏光フィルムとが設けられ、
前記偏光フィルムの外周面の少なくとも一部と前記カバーフィルムの一端面とが突き合
わされた
請求項１又は請求項２に記載の表示装置。
【請求項６】
前記カバーフィルムに補強フィルムが貼り付けられた
請求項１、請求項２、請求項３、請求項４又は請求項５に記載の表示装置。
【発明の詳細な説明】
【技術分野】
【０００１】
本技術は、表示装置についての技術分野に関する。詳しくは、ディスプレイの外周部にカバーフィルムを貼り付けてカバーフィルムによってディスプレイを保持し小型化及び軽量化を図る技術分野に関する。
【背景技術】
【０００２】
テレビジョン受像器やパーソナルコンピューター等の表示装置には、画像が表示される表示面を有するディスプレイが設けられている。
【０００３】
このような表示装置においては、ディスプレイの背面側にバックシャーシが配置され、ディスプレイの外周部がベゼルと称される枠体に保持され、枠体がバックシャーシに取り付けられたものがある（例えば、特許文献１参照）。
【０００４】
ディスプレイは外周部が、例えば、ネジ固定等によって枠体に取り付けられて保持されている。
【０００５】
【特許文献１】特開２００４−１５７４７１号公報
【発明の開示】
【発明が解決しようとする課題】
【０００６】
ところが、特許文献１に記載された表示装置にあっては、ディスプレイが枠体によって保持されているため、枠体が存在する分、外形が大きく小型化に支障を来たしている。
【０００７】
また、枠体の存在によって全体の重量が大きくなり、軽量化にも支障を来たしている。
【０００８】
そこで、本技術表示装置は、上記した課題を解決し、小型化及び軽量化を図ることを課題とする。
【課題を解決するための手段】
【０００９】
表示装置は、上記した課題を解決するために、表示面に画像が表示されるディスプレイと、前記ディスプレイにおける表示面の反対の面側に配置されるバックシャーシと、前記表示面側から前記バックシャーシ側へ回り込む状態で位置され一端部が前記ディスプレイの外周部の少なくとも一部に貼り付けられたカバーフィルムと、前記ディスプレイの外周面の少なくとも一部を覆い、前記バックシャーシの一部が結合された保護部材とを備え、前記カバーフィルムの少なくとも他端部が前記バックシャーシに貼り付けられ、前記カバーフィルムの前記一端部と前記他端部の間に位置する中間部の少なくとも一部が前記保護部材の外面に貼り付けられたものである。
【００１０】
従って、表示装置にあっては、ディスプレイの外周部に貼り付けられたカバーフィルムによってディスプレイが保持される。
【００１２】
カバーフィルムの少なくとも他端部がバックシャーシに貼り付けられることにより、カ
バーフィルムを介してディスプレイとバックシャーシが連結される。ディスプレイの外周面の少なくとも一部を覆う保護部材が設けられ、保護部材の外面にカバーフィルムが貼り付けられることにより、ディスプレイの外周部が保護された状態でカバーフィルムが貼り付けられる。
【００１３】
上記した表示装置においては、前記バックシャーシに回路基板と前記回路基板を閉塞するリアカバーとが取り付けられ、前記カバーフィルムの前記バックシャーシに貼り付けられた部分が前記リアカバーによって押さえられることが望ましい。
【００１４】
バックシャーシに回路基板と回路基板を閉塞するリアカバーとが取り付けられ、カバーフィルムのバックシャーシに貼り付けられた部分がリアカバーによって押さえられることにより、カバーフィルムを押さえる専用の部材が不要になる。
【００１５】
上記した表示装置においては、前記ディスプレイに表示パネルと前記表示パネルの表面に貼り付けられた偏光フィルムとが設けられ、前記偏光フィルムが前記カバーフィルムとして用いられることが望ましい。
【００１６】
ディスプレイに表示パネルと表示パネルの表面に貼り付けられた偏光フィルムとが設けられ、偏光フィルムがカバーフィルムとして用いられることにより、ディスプレイを保持する専用のカバーフィルムを貼り付ける必要がなくなる。
【００１９】
上記した表示装置においては、前記ディスプレイに表示パネルと前記表示パネルの表面に貼り付けられた偏光フィルムとが設けられ、前記偏光フィルムの外周部の少なくとも一部に前記カバーフィルムの一端部が貼り付けられることが望ましい。
【００２０】
ディスプレイに表示パネルと表示パネルの表面に貼り付けられた偏光フィルムとが設けられ、偏光フィルムの外周部の少なくとも一部にカバーフィルムの一端部が貼り付けられることにより、偏光フィルムがカバーフィルムによって押さえられる。
【００２１】
上記した表示装置においては、前記ディスプレイに表示パネルと前記表示パネルの表面に貼り付けられた偏光フィルムとが設けられ、前記偏光フィルムの外周面の少なくとも一部と前記カバーフィルムの一端面とが突き合わされることが望ましい。
【００２２】
ディスプレイに表示パネルと表示パネルの表面に貼り付けられた偏光フィルムとが設けられ、偏光フィルムの外周面の少なくとも一部とカバーフィルムの一端面とが突き合わされることにより、カバーフィルムが偏光フィルムに重ね合わされない。
【００２３】
上記した表示装置においては、前記カバーフィルムに補強フィルムが貼り付けられることが望ましい。
【００２４】
カバーフィルムに補強フィルムが貼り付けられることにより、カバーフィルムの強度が補強フィルムによって補強される。
【発明の効果】
【００２５】
本技術表示装置は、表示面に画像が表示されるディスプレイと、前記ディスプレイにおける表示面の反対の面側に配置されるバックシャーシと、前記表示面側から前記バックシャーシ側へ回り込む状態で位置され一端部が前記ディスプレイの外周部の少なくとも一部に貼り付けられたカバーフィルムとを備え、前記カバーフィルムによって前記ディスプレイが保持されている。
【００２６】
従って、ディスプレイを保持するベゼルと称される枠体を設ける必要がなく、その分、外形及び重量が小さくなり、小型化及び軽量化を図ることができる。
【００２７】
請求項２に記載した技術にあっては、前記カバーフィルムの少なくとも他端部が前記バックシャーシに貼り付けられている。
【００２８】
従って、カバーフィルムを介してディスプレイとバックシャーシが連結され、ディスプレイをカバーフィルムによって容易かつ確実に保持することができる。
【００２９】
請求項３に記載した技術にあっては、前記バックシャーシに回路基板と前記回路基板を閉塞するリアカバーとが取り付けられ、前記カバーフィルムの前記バックシャーシに貼り付けられた部分が前記リアカバーによって押さえられている。
【００３０】
従って、回路基板を閉塞するために予め必要とされる部材であるリアカバーによってカバーフィルムが押さえられるため、部品点数の増加を来たすことなくカバーフィルムの剥がれを防止することができる。
【００３１】
請求項４に記載した技術にあっては、前記ディスプレイに表示パネルと前記表示パネルの表面に貼り付けられた偏光フィルムとが設けられ、前記偏光フィルムが前記カバーフィルムとして用いられている。
【００３２】
従って、ディスプレイを保持する専用のカバーフィルムを貼り付ける必要がなくなるため、表示装置の一層の小型化及び軽量化を図ることができると共に材料コストの低減及び製造コストの低減を図ることができる。
【００３３】
請求項５に記載した技術にあっては、前記ディスプレイの外周面の少なくとも一部を覆う保護部材が設けられ、前記保護部材の外面に前記カバーフィルムが貼り付けられている。
【００３４】
従って、ディスプレイの外周部を保護した状態でディスプレイをカバーフィルムによって保持することができる。
【００３５】
請求項６に記載した技術にあっては、前記ディスプレイに表示パネルと前記表示パネルの表面に貼り付けられた偏光フィルムとが設けられ、前記偏光フィルムの外周部の少なくとも一部に前記カバーフィルムの一端部が貼り付けられている。
【００３６】
従って、偏光フィルムがカバーフィルムによって押さえられ、偏光フィルムの剥がれを防止することができる。
【００３７】
請求項７に記載した技術にあっては、前記ディスプレイに表示パネルと前記表示パネルの表面に貼り付けられた偏光フィルムとが設けられ、前記偏光フィルムの外周面の少なくとも一部と前記カバーフィルムの一端面とが突き合わされている。
【００３８】
従って、カバーフィルムが偏光フィルムに重ね合わされないため、表示装置の一層の小型化及び軽量化を図ることができる。
【００３９】
請求項８に記載した技術にあっては、前記カバーフィルムに補強フィルムが貼り付けられている。
【００４０】
従って、カバーフィルムの破損や傷付きを防止することができると共にカバーフィルムの剥がれを防止することができる。
【発明を実施するための最良の形態】
【００４１】
以下に、本技術表示装置を実施するための最良の形態を添付図面に従って説明する。
【００４２】
以下に示した最良の形態は、本技術表示装置を、液晶パネルに画像を表示するテレビジョン受像器に適用したものである。
【００４３】
尚、本技術の適用範囲は液晶パネルを有するテレビジョン受像器に限られることはなく、ディスプレイの種類を問わず他の各種のテレビジョン受像器やパーソナルコンピューター等に用いられるモニター等の各種の表示装置に広く適用することができる。
【００４４】
［表示装置の構成］
表示装置（テレビジョン受像器）１は、例えば、横長の扁平な略矩形状に形成され、スタンド２によって保持されている（図１乃至図３参照）。
【００４５】
表示装置１はバックシャーシ３とディスプレイ４とリアカバー５を備えている。
【００４６】
バックシャーシ３は前後方向を向くベース面部６とベース面部６の外周部６ａから前方へ突出された周面部７とを有している（図４及び図５参照）。
【００４７】
ディスプレイ４は、例えば、液晶ディスプレイであり、前面が表示面４ａとされ、前後に配置された第１の透明板８及び第２の透明板９と第１の透明板８の前面８ａに貼り付けられた第１の偏光フィルム１０と第２の透明板９の後面９ａに貼り付けられた第２の偏光フィルム１１とを有している。
【００４８】
ディスプレイ４はバックシャーシ３の前側に配置され、ディスプレイ４には図示しない透明電極、液晶、配光膜、カラーフィルター等の画像を表示するための各種の要素が配置されている。
【００４９】
第１の偏光フィルム１０と第２の偏光フィルム１１は何れも画像の表示領域に貼り付けられ、それぞれ第１の透明板８と第２の透明板９の各外周部を除く部分に配置されている。
【００５０】
ディスプレイ４は保護部材１２に取り付けられている。保護部材１２は枠状に形成され、ベース部１３とベース部１３の内面から内方へ張り出された取付部１４とを有している。ベース部１３の四つの角部１３ａ、１３ａ、・・・の外面と外周面の前端部１３ｂと外周面の後端部１３ｃとはそれぞれ外方に凸の曲面に形成されている。
【００５１】
保護部材１２における取付部１４の前面１４ａにはディスプレイ４が、例えば、接着によって取り付けられている。ディスプレイ４は第２の透明板９の後面９ａにおける外周部が取付部１４の前面１４ａに接着されている。保護部材１２にディスプレイ４が取り付けられた状態において、ベース部１３の内周面における前端部１３ｄがディスプレイ４の外周面４ｂに接触され、又は、他の部材が入り込んでディスプレイ４を破損することがない程度に近傍に配置されてディスプレイ４が保護部材１２に保持され、ディスプレイ４の外周部４ｃが保護されている。従って、保護部材１２はディスプレイ４の外周部４ｃを保護するエッジガードとして機能する。
【００５２】
保護部材１２にディスプレイ４が取り付けられた状態においては、保護部材１２におけるベース部１３の前面１３ｅと第１の透明板８の前面８ａとが同一平面又は近傍の平面上に位置されている。
【００５３】
保護部材１２における取付部１４の後面１４ｂにはバックシャーシ３における周面部７の前面７ａが押し付けられた状態にされている。このとき後面１４ｂと前面７ａの接着等によりバックシャーシ３が保護部材１２に取り付けられていてもよい。
【００５４】
バックシャーシ３とディスプレイ４の間には光制御体１５が配置されている。光制御体１５は前側から順に積層された制御シート部１６と導光板１７と反射シート１８によって構成されている。
【００５５】
制御シート部１６は各種の機能を有する複数枚の光学シートが積層されて成り、各光学シートは光の拡散機能、光の進行方向の制御等の各機能を有している。制御シート部１６によって輝度の均一性や輝度の向上等が図られる。
【００５６】
導光板１７は後述する光源から出射される光を導いて制御シート部１６を介してディスプレイ４に入射させる機能を有している。
【００５７】
反射シート１８は導光板１７において導かれた光を制御シート部１６側へ反射して輝度の向上を図る機能を有している。
【００５８】
導光板１７の真下には光源１９、１９、・・・が左右に離隔して配置されている（図５参照）。光源１９、１９、・・・としては、例えば、ＬＥＤ（ Light Emitting Diode）が用いられており、光源１９、１９、・・・から出射された光は導光板１７の下面から導光板１７の内部に入射される。
【００５９】
バックシャーシ３におけるベース面部６の後面６ｂには回路基板２０、２０が左右に離隔して取り付けられている（図３参照）。回路基板２０、２０はディスプレイ４の透明電極への電流の供給や光源１９、１９、・・・への駆動電流の供給等を行うと共に表示装置１の全体の制御を行う制御回路として機能する。
【００６０】
リアカバー５は前方に開口された浅い箱状に形成され、ベース面部６の後面６ｂにネジ止め等によって取り付けられている。回路基板２０、２０はリアカバー５によって閉塞されている。
【００６１】
ディスプレイ４の外周部４ｃからバックシャーシ３におけるベース面部６の外周部６ａに亘る位置には補助フィルム２１が貼り付けられている（図４及び図５参照）。補助フィルム２１は、例えば、貼り付けられる面に粘着剤が塗布されており、粘着剤によってディスプレイ４やベース面部６等に貼り付けられる。
【００６２】
補助フィルム２１は屈曲性に優れ機械的強度の高い材料によって形成されている。補助フィルム２１の厚さは、例えば、第１の偏光フィルム１０の厚さと同じにされ、一端面２１ａが第１の偏光フィルム１０の外周面１０ａに突き合わされた状態で一端部が第１の透明板８の前面８ａに貼り付けられている。補助フィルム２１は、他端部がベース面部６における後面６ｂの外周部６ａに貼り付けられ、中間部が保護部材１２の外面に貼り付けられている。
【００６３】
ディスプレイ４の外周部４ｃからバックシャーシ３におけるベース面部６の外周部６ａに亘る位置には補助フィルム２１の外面側からカバーフィルム２２が貼り付けられている。カバーフィルム２２は、例えば、貼り付けられる面に粘着剤が塗布されており、粘着剤によってディスプレイ４やベース面部６等に貼り付けられる。
【００６４】
カバーフィルム２２は屈曲性に優れた材料、例えば、トリアセチルセルロース（ＴＡＣ：Triacetylcellulose）、ポリエチレンテレフタラート（Polyethylene terephthalate）、ポリカーボネート（Polycarbonate）、アクリル樹脂（acrylic resin）等によって形成されている。また、カバーフィルム２２は光の反射を抑制する低反射性の材料によって形成されることが望ましい。さらに、カバーフィルム２２が画像の表示領域の一部又は全体に貼り付けられる場合には、カバーフィルム２２は画質の低下を生じない材料、例えば、透明性の高い材料によって形成されることが望ましい。
【００６５】
カバーフィルム２２は横長の矩形の枠状に形成された前面貼付部２３と前面貼付部２３の上下左右両側縁からそれぞれ外方へ突出された突面部２４、２４、・・・とから成る（図６参照）。突面部２４、２４、・・・の外側の左右両端部又は上下両端部には斜め４５°に傾斜された傾斜縁２４ａ、２４ａ、・・・が形成されている。
【００６６】
カバーフィルム２２は、枠の内側が透明にされた矩形状のフィルムであってもよい。この場合にはディスプレイ４の表示面４ａとカバーフィルム２２の間に段差が形成されないため、デザイン性の向上を図ることができる。
【００６７】
カバーフィルム２２は、前面貼付部２３がディスプレイ４の外周部４ｃに貼り付けられ、突面部２４、２４、・・・がそれぞれバックシャーシ３側へ回り込むように折り曲げられ保護部材１２の外面及びベース面部６の外周部６ａにおける後面６ｂに貼り付けられる（図４、図５及び図７参照）。このとき前面貼付部２３の内周側の一端部２３ａが第１の偏光フィルム１０の外周部に貼り付けられる。
【００６８】
このようにカバーフィルム２２は前面貼付部２３の一端部２３ａが第１の偏光フィルム１０の外周部に貼り付けられるため、第１の偏光フィルム１０がカバーフィルム２２によって押さえられ、第１の偏光フィルム１０の第１の透明板８からの剥がれを防止することができる。
【００６９】
カバーフィルム２２が貼り付けられた状態において、バックシャーシ３の背面側において隣り合う突面部２４、２４の傾斜縁２４ａ、２４ａが隣接又は接した状態にされる（図７参照）。このとき隣り合う突面部２４、２４の側縁間には隙間が生じ保護部材１２の四つの角部１３ａ、１３ａ、・・・が露出される。
【００７０】
このような保護部材１２の四つの角部１３ａ、１３ａ、・・・の露出に対しては、例えば、保護部材１２をカバーフィルム２２と質感の近い材料や同色の材料によって形成し、外部から視認されたときに目立たないようにすることにより、表示装置１のデザイン性の向上を図ることができる。
【００７１】
逆に、露出した保護部材１２の四つの角部１３ａ、１３ａ、・・・をカバーフィルム２２と異なる質感や異なる色の材料によって形成し、外部から視認されたときに目立つようにしてアクセントとして用いることにより、表示装置１のデザイン性の向上を図ることができる。
【００７２】
また、保護部材１２の四つの角部１３ａ、１３ａ、・・・の露出された部分にカバーフィルム２２の端面を閉塞する図示しないキャップを取り付けて表示装置１のデザイン性の向上を図ることも可能である。
【００７３】
さらに、カバーフィルム２２を伸縮性を有する材料によって形成し、カバーフィルム２２の貼付作業において熱成形や真空成形等によってカバーフィルム２２を伸ばしながら貼り付けて保護部材１２の四つの角部１３ａ、１３ａ、・・・が露出されないようにすることにより、表示装置１のデザイン性の向上を図ることができる。
【００７４】
尚、表示装置１においては、上記したように、厚さが第１の偏光フィルム１０の厚さと同じにされた補助フィルム２１が貼り付けられ、補助フィルム２１の外側からカバーフィルム２２が貼り付けられている。
【００７５】
従って、カバーフィルム２２が貼り付けられた状態において第１の偏光フィルム１０の外周面１０ａが位置する部分に段差を生じることがなく、表示装置１のデザイン性の向上を図ることができる。
【００７６】
また、カバーフィルム２２が貼り付けられた状態においては、突面部２４、２４、・・・の外側の端部２４ｂ、２４ｂ、・・・がリアカバー５によって押さえられる（図４及び図５参照）。
【００７７】
従って、回路基板２０、２０を閉塞するために予め必要とされる部材であるリアカバー５によってカバーフィルム２２が押さえられるため、部品点数の増加を来たすことなくカバーフィルム２２の剥がれを防止することができる。
【００７８】
尚、上記には、第１の偏光フィルム１０とは異なるカバーフィルム２２を貼り付けた例を示したが、例えば、第１の偏光フィルム１０の大きさを大きくし第１の偏光フィルム１０をカバーフィルム２２として用いることも可能である（図８参照）。
【００７９】
第１の偏光フィルム１０をカバーフィルム２２として用いることにより、ディスプレイ４を保持する専用のカバーフィルム２２を貼り付ける必要がなくなるため、表示装置１の一層の小型化及び軽量化を図ることができると共に製造コストの低減を図ることができる。
【００８０】
［表示装置の組立］
以下に、上記した表示装置１の組立手順について説明する（図９乃至図１１参照）。尚、以下の組立手順において、補助フィルム２１の貼付については省略する。
【００８１】
先ず、ディスプレイ４の前面における外周部４ｃにカバーフィルム２２の前面貼付部２３を貼り付ける（図９参照）。尚、ディスプレイ４の下端部には透明電極等に駆動電流を供給する接続端子となる電極部４ｄ、４ｄが設けられている。
【００８２】
次に、保護部材１２にディスプレイ４の外周部４ｃを取り付けると共にバックシャーシ３をディスプレイ４の背面側に配置する（図１０参照）。このとき光源１９、１９、・・・が配置された図示しない光源ユニットをディスプレイ４の下側に配置する。
【００８３】
次いで、カバーフィルム２２の突面部２４、２４、・・・を折り曲げて保護部材１２及びバックシャーシ３に貼り付ける（図１１参照）。
【００８４】
続いて、バックシャーシ３におけるベース面部６の後面６ｂに回路基板２０、２０を取り付け（図１２参照）、回路基板２０、２０と電極部４ｄ、４ｄを接続する。
【００８５】
最後に、リアカバー５をバックシャーシ３にネジ止め等によって取り付け、表示装置１をスタンド２によって保持することにより表示装置１の組立作業を終了する（図１３参照）。
【００８６】
尚、補助フィルム２１及びカバーフィルム２２の貼付は粘着剤の他に、例えば、両面テープ、接着剤、取付ネジ等によって行うことも可能である。
【００８７】
また、上記には、枠状に形成された保護部材１２を例として示したが、例えば、ディスプレイ４の四辺のうち保護部材に取り付けられない辺があってもよく、この場合には保護部材が枠状以外のコ字状や直線状等の形状に形成される。
【００８８】
［カバーフィルム等に関する別の構成］
次に、カバーフィルム等に関する別の構成について説明する（図１４乃至図１７参照）。
【００８９】
表示装置１においては、補助フィルム２１を貼り付けず、カバーフィルム２２をディスプレイ４やバックシャーシ３等に貼り付ける構成にすることが可能である（図１４参照）。
【００９０】
このように構成することにより、補助フィルム２１が存在しないため、表示装置１の一層の小型化及び軽量化を図ることができ、また、補助フィルム２１の貼付作業が不要になり表示装置１の組立作業の簡素化を図ることができる。
【００９１】
また、表示装置１においては、カバーフィルム２２の外面に補強フィルム２５を貼り付ける構成にすることが可能である（図１５参照）。尚、補強フィルム２５はカバーフィルム２２より厚みが厚く機械的強度が高い材料によって形成されることが望ましい。
【００９２】
このように構成することにより、カバーフィルム２２の強度が補強フィルム２５によって補強され、カバーフィルム２２の破損や傷付きを防止することができると共にカバーフィルム２２の剥がれを防止することができる。
【００９３】
さらに、表示装置１においては、カバーフィルム２２を折り返して重ね合わせた状態で貼り付ける構成にすることが可能である（図１６参照）。折り返す回数は任意である。
【００９４】
このように構成することにより、カバーフィルム２２の剛性が高くなり、ディスプレイ４の保護の強化及びカバーフィルム２２によるディスプレイ４の保持力の向上を図ることができる。
【００９５】
さらにまた、表示装置１においては、補助フィルム２１を貼り付けず、第１の偏光フィルム１０の厚みと同じ厚みにされたカバーフィルム２２の一端面２２ａと第１の偏光フィルム１０の外周面１０ａとを突き合わせた状態でディスプレイ４やバックシャーシ３等に貼り付ける構成にすることが可能である（図１７参照）。
【００９６】
このように構成することにより、補助フィルム２１が存在しないと共にカバーフィルム２２が第１の偏光フィルム１０に重ね合わされないため、表示装置１の一層の小型化及び軽量化を図ることができ、また、第１の偏光フィルム１０とカバーフィルム２２の間に段差が生じないため表示装置１のデザイン性の向上を図ることができる。
【００９７】
次に、カバーフィルムの大きさを変更した別の構成を有する表示装置１Ａ、１Ｂについて説明する（図１８乃至図２３参照）。
【００９８】
表示装置１Ａにおいては、カバーフィルム２２とは異なる大きさのカバーフィルム２２Ａがディスプレイ４やバックシャーシ３等に貼り付けられている（図１８乃至図２０参照）。
【００９９】
カバーフィルム２２Ａは、例えば、上側に位置された突面部２４Ａが他の突面部２４、２４、２４より長く形成されている。
【０１００】
突面部２４Ａ、２４、・・・が折り曲げられて保護部材１２及びバックシャーシ３に貼り付けられた状態においては、バックシャーシ３におけるベース面部６の下端側の部分以外の部分に突面部２４Ａが貼り付けられている（図１９参照）。
【０１０１】
ベース面部６の下端側の部分には小型の回路基板２０Ａ、２０Ａが取り付けられ、リアカバー５Ａがベース面部６の下端側の部分に取り付けられて回路基板２０Ａ、２０Ａが閉塞される（図２０参照）。
【０１０２】
このように構成することにより、表示装置１Ａにあっては、リアカバー５Ａの小型化が図られ、表示装置１Ａの小型化、軽量化及び製造コストの低減を図ることができる。
【０１０３】
表示装置１Ｂにおいては、カバーフィルム２２とは異なる大きさのカバーフィルム２２Ｂがディスプレイ４やバックシャーシ３等に貼り付けられている（図２１乃至図２３参照）。
【０１０４】
カバーフィルム２２Ｂは、例えば、上側に位置された突面部２４Ｂが他の突面部２４、２４より長く形成され、突面部２４Ｂはカバーフィルム２２Ａの突面部２２Ａより長く形成されている。カバーフィルム２２Ｂには下側に位置される突面部２４が設けられていなくてもよい。
【０１０５】
突面部２４Ｂ、２４、２４が折り曲げられて保護部材１２及びバックシャーシ３に貼り付けられた状態においては、バックシャーシ３におけるベース面部６の下端部以外の部分に突面部２４Ｂが貼り付けられている（図２２参照）。
【０１０６】
ベース面部６の下端部には接続端子２６、２６、・・・が設けられている。
【０１０７】
表示装置１Ｂは内部に図示しない回路基板が配置されたスタンド２Ｂによって保持される（図２３参照）。スタンド２Ｂは横長の形状の上方に開口された箱状に形成されている。
【０１０８】
表示装置１Ｂは下端部がスタンド２Ｂに挿入されて保持され、接続端子２６、２６、・・・が回路基板の各端子部に接続される。
【０１０９】
このように構成することにより、表示装置１Ｂにあっては、リアカバーが不要になり、表示装置１Ｂの小型化、軽量化及び製造コストの低減を図ることができる。
【０１１０】
また、バックシャーシ３の背面側にリアカバーが配置されないため、表示装置１Ｂの薄型化及びデザイン性の向上を図ることができる。
【０１１１】
次に、カバーフィルムの形状を変更した別の構成について説明する（図２４乃至図２７参照）。
【０１１２】
表示装置１においては、カバーフィルム２２に代えてカバーフィルム２２Ｃを用いることが可能である。
【０１１３】
カバーフィルム２２Ｃには突面部２４Ｃ、２４Ｃ、・・・にそれぞれ目隠し部２４ｃ、２４ｃ、・・・が設けられている。目隠し部２４ｃは隣り合って位置された突面部２４Ｃの側縁に沿うように突出されて設けられ、幅が保護部材１２の幅と略同じ大きさに形成されている（図２４参照）。
【０１１４】
カバーフィルム２２Ｃは、先ず、一つの突面部２４Ｃが折り曲げられて保護部材１２の外面に貼り付けられる（図２５参照）。このとき目隠し部２４ｃが保護部材１２の角部１３ａに貼り付けられる。
【０１１５】
次に、折り曲げられた突面部２４Ｃに隣り合って位置された突面部２４Ｃが折り曲げられて保護部材１２の外面に貼り付けられ、この折り曲げられた突面部２４Ｃの目隠し部２４ｃが保護部材１２の角部１３ａに貼り付けられる。このとき既に角部１３ａに貼り付けられていた目隠し部２４ｃに折り曲げられた突面部２４Ｃが外側から重ねられる（図２６参照）。
【０１１６】
以下、順に、折り曲げられた突面部２４Ｃに隣り合って位置された突面部２４Ｃが折り曲げられて保護部材１２の外面に貼り付けられ、この折り曲げられた突面部２４Ｃの目隠し部２４ｃが保護部材１２の角部１３ａに貼り付けられる。
【０１１７】
次いで、全ての突面部２４Ｃ、２４Ｃ、・・・が折り曲げられてそれぞれバックシャーシ３におけるベース面部６の後面６ｂに貼り付けられ（図２７参照）、カバーフィルム２２Ｃの貼付作業が終了する。
【０１１８】
このようなカバーフィルム２２Ｃを用いることにより、保護部材１２の四つの角部１３ａ、１３ａ、・・・が露出されないようにすることができ、表示装置１のデザイン性の向上を図ることができる。
【０１１９】
［まとめ］
以上に記載した通り、表示装置１、１Ａ、１Ｂにあっては、カバーフィルム２２、２２Ａ、２２Ｂ、２２Ｃがディスプレイ４の表示面４ａ側からバックシャーシ３側へ回り込む状態でディスプレイ４の外周部４ｃの少なくとも一部に貼り付けられ、カバーフィルム２２、２２Ａ、２２Ｂ、２２Ｃによってディスプレイ４が保持されている。
【０１２０】
従って、ディスプレイ４を保持するベゼルと称される枠体を設ける必要がなく、その分、外形及び重量が小さくなり、小型化及び軽量化を図ることができる。
【０１２１】
また、ベゼルが設けられた場合のベゼルと表示面の間の段差が生じないため、表示装置１のデザイン性の向上を図ることができる。
【０１２２】
さらに、ベゼルに代えて、例えば、ガラス等の透明な板状の部材（前面板）を配置することにより段差が発生しないようにする場合があるが、表示装置１、１Ａ、１Ｂにあっては、前面板を配置する必要がないため、薄型化、軽量化及び部品点数の削減による製造コストの低減を図ることができる。
【０１２３】
尚、カバーフィルム２２、２２Ａ、２２Ｂ、２２Ｃの表面に印刷を施してもよく、この場合には所望の色や質感を表現することが可能になり、表示装置１のデザイン性の向上を図ることができる。
【０１２４】
さらにまた、カバーフィルム２２、２２Ａ、２２Ｂ、２２Ｃがディスプレイ４の外周部４ｃとバックシャーシ３に貼り付けられているため、カバーフィルム２２、２２Ａ、２２Ｂ、２２Ｃを介してディスプレイ４とバックシャーシ３が連結され、ディスプレイ４をカバーフィルム２２、２２Ａ、２２Ｂ、２２Ｃによって容易かつ確実に保持することができる。
【０１２５】
加えて、ディスプレイ４の外周部４ｃには保護部材１２が設けられ保護部材１２の外面にカバーフィルム２２、２２Ａ、２２Ｂ、２２Ｃが貼り付けられているため、ディスプレイ４の外周部４ｃを保護した状態でカバーフィルム２２、２２Ａ、２２Ｂ、２２Ｃによって保持することができる。
【０１２６】
［本技術］
本技術は、以下のような構成にすることもできる。
【０１２７】
（１）表示面に画像が表示されるディスプレイと、前記ディスプレイにおける表示面の反対の面側に配置されるバックシャーシと、前記表示面側から前記バックシャーシ側へ回り込む状態で位置され一端部が前記ディスプレイの外周部の少なくとも一部に貼り付けられたカバーフィルムと、前記ディスプレイの外周面の少なくとも一部を覆い、前記バックシャーシの一部が結合された保護部材とを備え、前記カバーフィルムの少なくとも他端部が前記バックシャーシに貼り付けられ、前記カバーフィルムの前記一端部と前記他端部の間に位置する中間部の少なくとも一部が前記保護部材の外面に貼り付けられた表示装置。
【０１２９】
（２）前記バックシャーシに回路基板と前記回路基板を閉塞するリアカバーとが取り付
けられ、前記カバーフィルムの前記バックシャーシに貼り付けられた部分が前記リアカバ
ーによって押さえられた前記（１）に記載の表示装置。
【０１３０】
（３）前記ディスプレイに表示パネルと前記表示パネルの表面に貼り付けられた偏光フ
ィルムとが設けられ、前記偏光フィルムが前記カバーフィルムとして用いられた前記（１
）又は前記（２）に記載の表示装置。
【０１３２】
（４）前記ディスプレイに表示パネルと前記表示パネルの表面に貼り付けられた偏光フ
ィルムとが設けられ、前記偏光フィルムの外周部の少なくとも一部に前記カバーフィルム
の一端部が貼り付けられた前記（１）又は前記（２）に記載の表示装置。
【０１３３】
（５）前記ディスプレイに表示パネルと前記表示パネルの表面に貼り付けられた偏光フ
ィルムとが設けられ、前記偏光フィルムの外周面の少なくとも一部と前記カバーフィルム
の一端面とが突き合わされた前記（１）又は前記（２）に記載の表示装置。
【０１３４】
（６）前記カバーフィルムに補強フィルムが貼り付けられた前記（１）から前記（５）
の何れかに記載の表示装置。
【０１３５】
上記した技術を実施するための最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１３６】
【図１】図２乃至図２７と共に本技術表示装置を示すものであり、本図は、表示装置の斜視図である。
【図２】図１とは反対側から見た状態で表示装置を示す斜視図である。
【図３】表示装置の概略断面図である。
【図４】表示装置の上端側の部分を示す拡大断面図である。
【図５】表示装置の下端側の部分を示す拡大断面図である。
【図６】カバーフィルムの斜視図である。
【図７】カバーフィルムが貼り付けられた状態において保護部材の角部の状態を示す拡大斜視図である。
【図８】第１の偏光フィルムがカバーフィルムとして用いられた例を示す拡大断面図である。
【図９】図１０乃至図１３と共に表示装置の組立手順を示すものであり、本図は、カバーフィルムの前面貼付部がディスプレイに貼り付けられた状態を示す概略斜視図である。
【図１０】保護部材とバックシャーシが取り付けられた状態を示す概略斜視図である。
【図１１】カバーフィルムが折り曲げられて貼り付けられた状態を示す概略斜視図である。
【図１２】バックシャーシに回路基板が取り付けられた状態を示す概略斜視図である。
【図１３】バックシャーシにリアカバーが取り付けられる前の状態を示す概略斜視図である。
【図１４】図１５乃至図１７と共にカバーフィルム等に関する別の構成を示すものであり、本図は、補助フィルムが用いられていない例を示す拡大断面図である。
【図１５】カバーフィルムに補強フィルムが貼り付けられた例を示す拡大断面図である。
【図１６】折り曲げられたカバーフィルムが用いられた例を示す拡大断面図である。
【図１７】カバーフィルムの一端面が第１の偏光フィルムの外周面に突き合わされた例を示す拡大断面図である。
【図１８】図１９及び図２０と共にカバーフィルムの大きさを変更した別の構成を有する表示装置の例を示すものであり、本図は、カバーフィルムの前面貼付部がディスプレイに貼り付けられた状態を示す概略斜視図である。
【図１９】図１８に引き続きカバーフィルムが折り曲げられて貼り付けられた状態を示す概略斜視図である。
【図２０】図１９に引き続きバックシャーシにリアカバーが取り付けられる前の状態を示す概略斜視図である。
【図２１】図２２及び図２３と共にカバーフィルムの大きさを変更した別の構成を有する表示装置の別の例を示すものであり、本図は、カバーフィルムの前面貼付部がディスプレイに貼り付けられた状態を示す概略斜視図である。
【図２２】図２１に引き続きカバーフィルムが折り曲げられて貼り付けられた状態を示す概略斜視図である。
【図２３】図２２に引き続き表示装置がスタンドに保持された状態を示す概略斜視図である。
【図２４】図２５乃至図２７と共にカバーフィルムの形状を変更した別の構成を示すものであり、本図は、カバーフィルムの前面貼付部がディスプレイに貼り付けられた状態を示す拡大斜視図である。
【図２５】図２４に引き続きカバーフィルムの一つの突面部が折り曲げられて保護部材に貼り付けられた状態を示す拡大斜視図である。
【図２６】図２５に引き続き、折り曲げられた突面部に隣り合って位置された突面部が折り曲げられて保護部材に貼り付けられた状態を示す拡大斜視図である。
【図２７】図２６に引き続き突面部が折り曲げられてバックシャーシに貼り付けられた状態を示す拡大斜視図である。
【符号の説明】
【０１３７】
１…表示装置、３…バックシャーシ、４…ディスプレイ、４ａ…表示面、４ｂ…外周面、４ｃ…外周部、５…リアカバー、１０…第１の偏光フィルム、１０ａ…外周面、１２…保護部材、２０…回路基板、２２…カバーフィルム、２２ａ…一端面、２５…補強フィルム、１Ａ…表示装置、５Ａ…リアカバー、２０Ａ…回路基板、２２Ａ…カバーフィルム、１Ｂ…表示装置、２２Ｂ…カバーフィルム、２２Ｃ…カバーフィルム
【図１】
0005928020.tif 000002
【図２】
0005928020.tif 000003
【図３】
0005928020.tif 000004
【図４】
0005928020.tif 000005
【図５】
0005928020.tif 000006
【図６】
0005928020.tif 000007
【図７】
0005928020.tif 000008
【図８】
0005928020.tif 000009
【図９】
0005928020.tif 000010
【図１０】
0005928020.tif 000011
【図１１】
0005928020.tif 000012
【図１２】
0005928020.tif 000013
【図１３】
0005928020.tif 000014
【図１４】
0005928020.tif 000015
【図１５】
0005928020.tif 000016
【図１６】
0005928020.tif 000017
【図１７】
0005928020.tif 000018
【図１８】
0005928020.tif 000019
【図１９】
0005928020.tif 000020
【図２０】
0005928020.tif 000021
【図２１】
0005928020.tif 000022
【図２２】
0005928020.tif 000023
【図２３】
0005928020.tif 000024
【図２４】
0005928020.tif 000025
【図２５】
0005928020.tif 000026
【図２６】
0005928020.tif 000027
【図２７】
0005928020.tif 000028